(57)【要約】【課題】無駄に電力消費をすることなく、かつ、湿度状態を良好とするために効果的・効率的な換気運転を実行できる換気装置を得ること。【解決手段】外気と換気空間内の空気とを換気する換気装置であって、外気の湿度を検出する湿度測定部３と、外気と換気空間内の空気とを交換する換気機構４と、換気機構４を第１の期間運転させた後に停止させ、換気機構４を停止させてから第２の期間が経過した後に、換気機構４を停止させた時点での湿度測定部３の検出結果と、換気機構４を停止させてから第２の期間が経過した時点での湿度測定部３の検出結果との比較結果に基づいて、換気機構４の運転を再開するか否かを決定する制御部２とを有する。【選択図】図１
2011220617.tif 000002
【特許請求の範囲】
【請求項１】
外気と換気空間内の空気とを換気する換気装置であって、
外気の湿度を検出する湿度検出手段と、
外気と前記換気空間内の空気とを交換する換気手段と、
前記換気手段を第１の期間運転させた後に停止させ、前記換気手段を停止させてから第２の期間が経過した後に、前記換気手段を停止させた時点での前記湿度検出手段の検出結果と、前記換気手段を停止させてから第２の期間が経過した時点での前記湿度検出手段の検出結果との比較結果に基づいて、前記換気手段の運転を再開するか否かを決定する制御手段とを有することを特徴とする換気装置。
【請求項２】
前記制御手段は、前記換気手段を停止させてから第２の期間が経過した時点での前記湿度検出手段の検出結果が、前記換気手段を停止させた時点での前記湿度検出手段の検出結果よりも低湿度である場合に、前記換気手段の運転を再開することを特徴とする請求項１記載の換気装置。
【請求項３】
前記制御手段は、前記湿度検出手段の検出結果が、予め設定された閾値を超える場合には、前記換気手段を停止させた時点での前記湿度検出手段の検出結果と、前記換気手段を停止させてから第２の期間が経過した時点での前記湿度検出手段の検出結果との比較結果にかかわらず、前記換気手段の運転を再開させないことを特徴とする請求項１又は２記載の換気装置。
【請求項４】
換気制御開始時刻及び終了時刻を設定する手段を有し、前記制御手段は、換気制御開始時刻から換気制御終了時刻の間の期間にのみ前記換気手段を運転させることを特徴とする請求項１から３のいずれか１項記載の換気装置。
【請求項５】
前記第１の期間は、前記換気空間の容積の空気を外気と交換するのに前記換気手段が要する時間であることを特徴とする請求項１から４のいずれか１項記載の換気装置。
【請求項６】
前記制御手段は、前記換気手段の運転を開始させた際の前記湿度検出手段の検出結果と、前記換気手段を停止させた際の前記湿度検出手段の検出結果とに基づいて、前記第２の期間を決定することを特徴とする請求項１から５のいずれか１項記載の換気装置。
【請求項７】
前記制御手段は、前記換気手段を停止させてから前記第２の期間が経過した時点で前記換気手段の運転を再開させなかった場合には、前記換気手段の運転を再開させないと決定した時点から第３の期間が経過した後に、前記換気手段の運転を再開させないと決定した時点での前記湿度検出手段の検出結果と、前記換気運転を再開させないと決定してから前記第３の期間が経過した時点での前記湿度検出手段の検出結果との比較結果に基づいて、前記換気手段の運転を再開するか否かを決定することを特徴とする請求項１から６のいずれか１項記載の換気装置。
【発明の詳細な説明】
【技術分野】
【０００１】
本発明は、換気装置に関する。
【背景技術】
【０００２】
従来、湿度測定手段の測定結果に基づいて換気制御を行う換気装置は、湿度測定手段の測定結果として取得した湿度と設定湿度との比較により、換気扇（換気機構）の運転及び停止を判断していた。また、換気制御の開始時刻及び停止時刻をタイマ設定することにより、限られた時間内においてのみ換気制御するという運転方法を用いてきた。
【０００３】
換気扇の制御方法として、湿度測定手段の測定結果が湿度条件を満足している間（予め設定した湿度未満の間）、換気動作を実施するものが知られている（特許文献１参照）。また、換気扇の自動運転方法として、湿度測定手段による測定結果に基づいて換気運転時間を決定する制御方法も知られている（特許文献２参照）。
【先行技術文献】
【特許文献】
【０００４】
【特許文献１】特開平１１−２３０２７号公報
【特許文献２】特開平８−５４１４１号公報
【発明の概要】
【発明が解決しようとする課題】
【０００５】
従来の換気装置の場合、湿度条件を満足している間は常に換気運転を実施していた。そのため、十分に換気を実施した後も不必要な換気を続けることとなり、その期間も換気扇の運転によって電力を消費していた。
【０００６】
また、無駄な電力消費を避けるために、湿度条件に応じて換気運転時間を決定する方法では、運転開始時の湿度で運転時間が決定されてしまうため、運転動作中や運転停止後の湿度条件の変化に対応したきめ細やかな換気運転ができないという問題があった。
【０００７】
本発明は、上記に鑑みてなされたものであって、無駄に電力消費をすることなく、かつ、湿度状態を良好とするために効果的・効率的な換気運転を実行できる換気装置を得ることを目的とする。
【課題を解決するための手段】
【０００８】
上述した課題を解決し、目的を達成するために、本発明は、外気と換気空間内の空気とを換気する換気装置であって、外気の湿度を検出する湿度検出手段と、外気と換気空間内の空気とを交換する換気手段と、換気手段を第１の期間運転させた後に停止させ、換気手段を停止させてから第２の期間が経過した後に、換気手段を停止させた時点での湿度検出手段の検出結果と、換気手段を停止させてから第２の期間が経過した時点での湿度検出手段の検出結果との比較結果に基づいて、換気手段の運転を再開するか否かを決定する制御手段とを有することを特徴とする。
【発明の効果】
【０００９】
本発明によれば、十分な換気を実施しつつ余分な換気運転による消費電力を抑え、効果的・効率的な換気を実施できるという効果を奏する。
【図面の簡単な説明】
【００１０】
【図１】図１は、本発明の実施の形態１にかかる換気装置の構成を示す図である。
【図２】図２は、実施の形態１にかかる換気装置の動作の流れを示すフローチャートである。
【図３】図３は、実施の形態１にかかる換気装置の動作の一例を示す図である。
【図４】図４は、実施の形態１にかかる換気装置の動作の別の一例を示す図である。
【図５】図５は、従来の換気装置の動作の一例を示す図である。
【図６】図６は、実施の形態２にかかる換気装置の動作の流れを示すフローチャートである。
【図７】図７は、実施の形態２にかかる換気装置の動作の一例を示す図である。
【発明を実施するための形態】
【００１１】
以下に、本発明にかかる換気装置の実施の形態を図面に基づいて詳細に説明する。なお、この実施の形態によりこの発明が限定されるものではない。
【００１２】
実施の形態１．
図１は、本発明の実施の形態１にかかる換気装置の構成を示す図である。本実施の形態にかかる換気装置は、住宅の床下の空間（換気空間）の空気と屋外の空気とを換気するための換気機構（床下換気扇）４、換気機構４の運転及び停止を制御する制御部２、制御部２及び換気機構４へ電力（商用電源）を供給する電源１、及び屋外の湿度を測定する湿度測定部３を有する。本実施の形態においては、換気装置は、換気空間内の空気をより低湿度の外気と交換することを目的として駆動される。
【００１３】
制御部２は、制御処理部２１、記憶部２２及びタイマ２３を備えている。記憶部２２は、換気運転を実行するか否かの基準としての設定湿度、後段で説明する換気単位時間、換気運転の可否を判断するための湿度測定の時間間隔及び湿度測定部３の前回の測定結果（前回湿度）が記憶されており、制御処理部２１はこれらの情報に基づいて換気機構４の駆動・停止を制御する。タイマ２３は、換気制御に時間的な条件を設定するための装置である。すなわち、タイマ２３は換気制御の開始時刻及び終了時刻を設定する。
【００１４】
ここで、換気単位時間について説明する。十分な換気を行うのに必要な時間は、「換気空間容量（ｍ３）」と、「換気機構の時間当たりの換気能力（ｍ３／ｈ）」とに基づいて、おおよその時間として算出可能である。この時間を「換気単位時間」と定義する。ただし、実際の換気空間には、空気の流れが不十分な部分（空気の移動が生じにくい部分）も存在するため、多少の余裕度を含めて換気単位時間を決定することが好ましい。ただし、換気時間を長くしたからといって、空気の流れが不十分な部分の換気が完全に実施される訳ではないため、必要以上の余裕度を含めることは好ましいことではない。
【００１５】
本実施の形態においては、換気運転開始後、換気単位時間（第１の期間）が経過した時点で換気運転を停止する。その後、一定時間（第２の期間）の後、前回換気運転終了時の湿度と現時点での湿度とを比較し、より良い環境に移行できる場合のみ、換気運転を再開する。湿度条件を満足しつつも悪い環境への移行が予想される場合は、換気は停止を維持し、さらに一定時間（第３の期間）後に湿度状態を観測するという状態遷移を繰り返す。
【００１６】
図２は、実施の形態１にかかる換気装置の動作の流れを示すフローチャートである。換気装置の電源がＯＮされると（ステップＳ１）、制御処理部２１は、初期設定として、設定湿度Ｈｃや湿度測定間隔Ｔａなどを設定する（ステップＳ２）。次に、制御処理部２１は、タイマ２３に設定されている換気制御の開始時刻と終了時刻との間の時間（換気制御時間）内であるか否かを判断する（ステップＳ３）。換気制御時間内でなければ（ステップＳ３／Ｎｏ）、制御処理部２１は、換気制御時間内になるまで待機する。換気制御時間内であれば（ステップＳ３／Ｙｅｓ）、制御処理部２１は、湿度測定部３の検出結果を取得する（ステップＳ４）。制御処理部２１は、湿度測定部３から取得した湿度検出結果が示す現在の湿度が設定湿度Ｈｃ未満であるか否かを判断する（ステップＳ５）。現在の湿度が設定湿度Ｈｃ未満でなければ（ステップＳ５／Ｎｏ）、ステップＳ３に進み、制御処理部２１は換気制御時間内であるか否かを判断する。現在の湿度が設定湿度Ｈｃ未満であるならば（ステップＳ５／Ｙｅｓ）、制御処理部２１は換気機構４を駆動して換気運転を開始する（ステップＳ６）。そして、湿度測定部３の湿度検出結果を取得しその時点での湿度を前回湿度として記憶部２２に記憶させる（ステップＳ７）。
【００１７】
制御処理部２１は、湿度測定部から取得した湿度検出結果が示す現在の湿度が設定湿度Ｈｃ未満であるか否かを判断する（ステップＳ８）。現在の湿度が設定湿度Ｈｃ未満でなければ（ステップＳ８／Ｎｏ）、換気機構４を停止させ、換気運転を停止する（ステップＳ９）。現在の湿度が設定湿度Ｈｃ未満であるならば（ステップＳ８／Ｙｅｓ）、タイマ２３に設定されている換気制御時間内であるか否かを判断する（ステップＳ１０）。換気制御時間内でなければ（ステップＳ１０／Ｎｏ）、制御処理部２１は換気機構４を停止させ、換気運転を停止する（ステップＳ９）。換気制御時間内であるならば（ステップＳ１０／Ｙｅｓ）、制御処理部２１は、換気運転を開始してから換気単位時間Ｔｕ（第１の期間）が経過したか否かを判断する（ステップＳ１１）。換気運転を開始してから換気単位時間Ｔｕが経過していなければ（ステップＳ１１／Ｎｏ）、ステップＳ８に進み、制御処理部２１は現在の湿度が設定湿度Ｈｃ未満であるか否かを判断する。換気運転を開始してから換気単位時間Ｔｕが経過していれば（ステップＳ１１／Ｙｅｓ）、制御処理部２１は換気機構４を停止させ、換気運転を停止させる（ステップＳ１２）。そして、湿度測定部３の湿度測定結果を取得して、その時点での湿度を前回湿度として記憶部２２に記憶させる（ステップＳ１３）。
【００１８】
その後、制御処理部２１は、タイマ２３に設定されている換気制御時間内であるか否かを判断する（ステップＳ１４）。換気制御時間内でなければ（ステップＳ１４／Ｎｏ）、ステップＳ３へ進み、制御処理部２１は、換気制御時間内になるまで待機する。換気制御時間内であれば（ステップＳ１４／Ｙｅｓ）、制御処理部２１は、換気運転を停止してから湿度測定間隔Ｔａ（第２の期間）が経過したか否かを判断する（ステップＳ１５）。換気運転を停止してから湿度測定間隔Ｔａが経過していなければ（ステップＳ１５／Ｎｏ）、ステップＳ１４へ進み、制御処理部２１は換気制御時間内であるか否かを判断する。換気運転を停止してから湿度測定間隔Ｔａが経過していれば（ステップＳ１５／Ｙｅｓ）、制御処理部２１は、湿度測定部３の検出結果を取得する。また、記憶部２２に記憶させている前回湿度を読み出す。そして、湿度測定部３から取得した湿度を前回湿度として記憶部２２に記憶させる（ステップＳ１６）。制御処理部２１は、湿度測定部から取得した湿度検出結果が示す現在の湿度が記憶部２２から読み出した前回湿度未満であるか否かを判断する（ステップＳ１７）。現在の湿度が記憶部２２から読み出した前回湿度未満でなければ（ステップＳ１７／Ｎｏ）、ステップＳ１４に進み、制御処理部２１は換気制御時間内であるか否かを判断する。ステップＳ１７からステップＳ１４へ進んだ場合は、ステップＳ１５においては、制御処理部２１は、前回湿度を測定してから第３の期間としての湿度測定間隔Ｔａが経過したか否かを判断する。一方、現在の湿度が記憶部２２から読み出した前回湿度未満であるならば（ステップＳ１７／Ｙｅｓ）、ステップＳ５に進み、制御処理部２１は現在の湿度が設定湿度Ｈｃ未満であるか否かを判断する。
【００１９】
本実施の形態にかかる換気装置は、上記の動作を行うことで、換気運転開始後、換気単位時間が経過した時点で換気運転を停止し、一定時間の後、前回換気運転終了時の湿度と現時点での湿度とを比較し、より良い環境に移行できる場合のみ、換気運転を再開する。湿度条件を満足しつつも悪い環境への移行が予想される場合は、換気は停止を維持し、さらに一定時間後に湿度状態を観測するという状態遷移を繰り返す。
【００２０】
本実施の形態にかかる換気装置の動作を具体例を挙げて説明する。図３は、換気装置の動作の一例を示す図である。時刻Ｔ０において、タイマ２３に設定された開始時刻となったため、制御処理部２１は、湿度測定部３から湿度検出結果（Ｈ０）を取得する。制御処理部２１は、湿度Ｈ０を記憶部２２に記憶されている設定湿度Ｈｃと比較する。Ｈｃ＞Ｈ０であるため、制御処理部２１は、換気機構４を駆動して換気運転を開始する。制御処理部２１は、湿度Ｈ０を前回湿度として記憶部２２に記憶させる。
【００２１】
時刻Ｔ１において、換気運転開始から第１の期間としての換気単位時間（Ｔｕ）が経過したため、制御処理部２１は、換気機構４を停止させて換気運転を中止する。制御処理部２１は、湿度検出部３から湿度検出結果（Ｈ１）を取得し、前回湿度として記憶部２２に記憶させる。
【００２２】
時刻Ｔ２において、換気運転の停止から一定時間（第２の期間としての湿度測定間隔Ｔａ）が経過したため、制御処理部２１は、換気運転の再開の可否を判断する。制御処理部２１は、湿度測定部３から湿度検出結果（Ｈ２）を取得する。制御処理部２１は、湿度Ｈ２を記憶部２２に記憶されている前回湿度Ｈ１と比較する。Ｈ１＞Ｈ２であるため、制御処理部２１は、換気機構４を駆動して換気運転を開始する。制御処理部２１は、湿度Ｈ２を前回湿度として記憶部２２に記憶させる。
【００２３】
時刻Ｔ３において、換気運転開始から第１の期間としての換気単位時間（Ｔｕ）が経過したため、制御処理部２１は、換気機構４を停止させて換気運転を中止する。制御処理部２１は、湿度検出部３から湿度検出結果（Ｈ３）を取得し、前回湿度として記憶部２２に記憶させる。
【００２４】
時刻Ｔ４において、換気運転の停止から一定時間（第２の期間としての湿度測定間隔Ｔａ）が経過したため、制御処理部２１は、換気運転の再開の可否を判断する。制御処理部２１は、湿度測定部３から湿度検出結果（Ｈ４）を取得する。制御処理部２１は、湿度Ｈ４を記憶部２２に記憶されている前回湿度Ｈ３と比較する。Ｈ４＞Ｈ３であるため、制御処理部２１は、換気運転の実行を不可と判断し、換気運転を再開しない。制御処理部２１は、湿度Ｈ４を前回湿度として記憶部２２に記憶させる。
【００２５】
時刻Ｔ５において、換気運転の実行不可と判断してから一定時間（第３の期間としての湿度測定間隔Ｔａ）が経過したため、制御処理部２１は、換気運転の再開の可否を判断する。制御処理部２１は、湿度測定部３から湿度検出結果（Ｈ５）を取得する。制御処理部２１は、湿度Ｈ５を記憶部２２に記憶されている前回湿度Ｈ４と比較する。Ｈ５＞Ｈ４であるため、制御処理部２１は、換気運転の実行を不可と判断し、換気運転を再開しない。制御処理部２１は、湿度Ｈ５を前回湿度として記憶部２２に記憶させる。
【００２６】
時刻Ｔ６において、湿度検出部３の検出結果が設定湿度Ｈｃを超える状態となる。このため、これ以降の時点で制御処理部２１が換気運転の再開の可否を判断する場合には、換気運転の実行を不可と判断する。
【００２７】
時刻Ｔ７において、タイマ２３に設定された停止時刻となったため、制御処理部２１は換気制御を終了する。
【００２８】
図４は、換気装置の動作の別の一例を示す図である。時刻Ｔ１０において、タイマ２３に設定された開始時刻となったため、制御処理部２１は、湿度測定部３から湿度検出結果（Ｈ１０）を取得する。制御処理部２１は、湿度Ｈ１０を記憶部２２に記憶されている設定湿度Ｈｃと比較する。Ｈｃ＞Ｈ１０であるため、制御処理部２１は、換気機構４を駆動して換気運転を開始する。制御処理部２１は、湿度Ｈ１０を前回湿度として記憶部２２に記憶させる。
【００２９】
時刻Ｔ１１において、換気運転開始から第１の期間としての換気単位時間（Ｔｕ）が経過したため、制御処理部２１は、換気機構４を停止させて換気運転を中止する。制御処理部２１は、湿度検出部３から湿度検出結果（Ｈ１１）を取得し、前回湿度として記憶部２２に記憶させる。
【００３０】
時刻Ｔ１２において、換気運転の停止から一定時間（第２の期間としての湿度測定間隔Ｔａ）が経過したため、制御処理部２１は、換気運転の再開の可否を判断する。制御処理部２１は、湿度測定部３から湿度検出結果（Ｈ１２）を取得する。制御処理部２１は、湿度Ｈ１２を記憶部２２に記憶されている前回湿度Ｈ１１と比較する。Ｈ１２＞Ｈ１１であるため、制御処理部２１は、換気運転の実行を不可と判断し、換気運転を再開しない。制御処理部２１は、湿度Ｈ１２を前回湿度として記憶部２２に記憶させる。
【００３１】
時刻Ｔ１３において、換気運転の実行不可と判断してから一定時間（第３の期間としての湿度測定間隔Ｔａ）が経過したため、制御処理部２１は、換気運転の再開の可否を判断する。制御処理部２１は、湿度測定部３から湿度検出結果（Ｈ１３）を取得する。制御処理部２１は、湿度Ｈ１３を記憶部２２に記憶されている前回湿度Ｈ１２と比較する。Ｈ１３＞Ｈ１２であるため、制御処理部２１は、換気運転の実行を不可と判断し、換気運転を再開しない。制御処理部２１は、湿度Ｈ１３を前回湿度として記憶部２２に記憶させる。
【００３２】
時刻Ｔ１４おいて、湿度検出部３の検出結果が設定湿度Ｈｃを超える状態となる。このため、これ以降の時点で制御処理部２１が換気運転の再開の可否を判断する場合には、換気運転の実行を不可と判断する。
【００３３】
時刻Ｔ１５において、タイマ２３に設定された停止時刻となったため、制御処理部２１は換気制御を終了する。
【００３４】
換気運転停止又は前回の湿度測定から次の湿度測定までの時間間隔（湿度測定間隔Ｔａ）は、湿度の変化が明確に現れるように、１時間程度の単位で実施することが好ましいが、数分単位の短い間隔や、１時間よりも長い間隔で実施しても構わない。
【００３５】
比較のために、従来の換気装置の動作について説明する。図５は、従来の換気装置の動作の一例を示す図である。外気湿度の変化の仕方は図３と同様である。従来の換気装置は、十分な換気を実施した後も換気運転を継続するため、湿度条件は満足しつつも湿度条件の悪い状態へ変化している場合（設定湿度以下ではあるが外気の湿度が上昇している場合）においても換気を継続実施してしまう。すなわち、時刻Ｔ２０において換気運転を開始した後、時刻Ｔ２１において外気湿度が増大し始めたにも係わらず換気運転を継続し、時刻Ｔ２２において外気湿度が設定湿度を上回った時点で換気運転を停止する。このような換気制御は、一度下がった床下の湿度を再び上昇させてしまうこととなり、無駄に電力を消費することとなる。
【００３６】
本実施の形態にかかる換気装置は、換気運転開始後、換気単位時間が経過した時点で換気運転を停止することにより、十分な換気を実施しつつ余分な換気運転による消費電力を低減できる。
【００３７】
また、換気運転を停止してから一定時間経過後に湿度を測定し、換気運転終了時の湿度との比較結果に基づいて換気運転の再開の可否を判断するため、効果的・効率的な換気を実施できる。すなわち、外気の方が床下よりも湿度が高いと想定される状況の場合は、換気運転を再開しないため、床下の湿度を効率良く低下させることができる。
【００３８】
さらに、検出湿度と設定湿度との比較による運転及び停止の制御や、タイマ運転による運転及び停止の制御と組み合わせることによって、さらに消費電力を抑えた効果的・効率的な換気を実施できる。
【００３９】
実施の形態２．
換気運転停止又は前回の湿度測定から次の湿度測定までの時間間隔（湿度測定間隔Ｔａ）は、湿度の変化が明確に現れるように、１時間程度の単位で実施することが好ましいが、数分単位の短い間隔や、１時間よりも長い間隔で実施することも可能である。
【００４０】
ただし、短い間隔で湿度測定を実施し換気運転の実行可否を判断した場合、運転停止時間が短い間隔となってしまう可能性があり、消費電力を十分に低減できないことがある。逆に、長い間隔で湿度測定を実施し換気運転の実行可否を判断した場合は、換気実施の判断をする機会が少なくなってしまう。
【００４１】
このため、本実施の形態においては、次回の湿度測定までの時間間隔（第２の期間）を換気運転停止時の湿度に基づいて可変とする。具体的には、運転開始時よりも運転停止時の方が低湿度であれば、湿度環境がより良い状態で換気されているため、次回の湿度測定までの時間間隔を長くする。逆に、運転開始時よりも運転停止時の方が高湿度であれば、次回の湿度測定までの間隔を短くする。
【００４２】
本実施の形態にかかる換気装置の構成は実施の形態１と同様である。図６は、実施の形態２にかかる換気装置の動作の流れを示すフローチャートである。換気装置の電源がＯＮされると（ステップＳ１）、制御処理部２１は、初期設定として、設定湿度Ｈｃなどを設定する（ステップＳ２’）。ステップＳ３〜Ｓ１３の動作は実施の形態１と同様である。ステップＳ１３で現在の湿度を測定した後、制御処理部２１は、前回湿度と現在の湿度とに基づいて湿度測定間隔をＴａ１又はＴａ２に決定する（ステップＳ１３’）。
【００４３】
その後、制御処理部２１は、タイマ２３に設定されている換気制御時間内であるか否かを判断する（ステップＳ１４）。換気制御時間内でなければ（ステップＳ１４／Ｎｏ）、ステップＳ３へ進み、制御処理部２１は、換気制御時間内になるまで待機する。換気制御時間内であれば（ステップＳ１４／Ｙｅｓ）、制御処理部２１は、換気運転を停止してから湿度測定間隔（Ｔａ１又はＴａ２）が経過したか否かを判断する（ステップＳ１５）。換気運転を停止してから湿度測定間隔が経過していなければ（ステップＳ１５／Ｎｏ）、ステップＳ１４へ進み、制御処理部２１は換気制御時間内であるか否かを判断する。換気運転を停止してから第２の期間としての湿度測定間隔Ｔａ１又はＴａ２が経過していれば（ステップＳ１５／Ｙｅｓ）、制御処理部２１は、湿度測定部３の検出結果を取得する。また、記憶部２２に記憶させている前回湿度を読み出す。そして、湿度測定部３から取得した湿度を前回湿度として記憶部２２に記憶させる（ステップＳ１６）。制御処理部２１は、湿度測定部から取得した湿度検出結果が示す現在の湿度が記憶部２２から読み出した前回湿度未満であるか否かを判断する（ステップＳ１７）。現在の湿度が記憶部２２から読み出した前回湿度未満であるならば（ステップＳ１７／Ｙｅｓ）、ステップＳ５に進み、制御処理部２１は現在の湿度が設定湿度Ｈｃ未満であるか否かを判断する。
【００４４】
換気運転停止後、湿度測定間隔Ｔａ１又はＴａ２が経過した時点での湿度が、換気運転停止時の湿度以上である場合（ステップＳ１７／Ｎｏ）、制御処理部２１は、タイマ２３に設定されている換気制御時間内であるか否かを判断する（ステップＳ１８）。換気制御時間内でなければ（ステップＳ１８／Ｎｏ）、ステップＳ３に進み、制御処理部２１は、換気制御時間内になるまで待機する。換気制御時間内であれば、制御処理部２１は、換気運転を停止してから第３の期間としての湿度測定間隔Ｔａ３が経過したか否かを判断する（ステップＳ１９）。前回の湿度測定時から湿度測定間隔Ｔａ３が経過していなければ（ステップＳ１９／Ｎｏ）、ステップＳ１８へ進み、制御処理部２１は換気制御時間内であるか否かを判断する。前回の湿度測定から湿度測定間隔Ｔａ３が経過していれば（ステップＳ１９／Ｙｅｓ）、制御処理部２１は、湿度測定部３の検出結果を取得する。また、記憶部２２に記憶させている前回湿度を読み出す。そして、湿度測定部３から取得した湿度を前回湿度として記憶部２２に記憶させる（ステップＳ２０）。制御処理部２１は、湿度測定部から取得した湿度検出結果が示す現在の湿度が記憶部２２から読み出した前回湿度未満であるか否かを判断する（ステップＳ２１）。現在の湿度が記憶部２２から読み出した前回湿度未満でなければ（ステップＳ２１／Ｎｏ）、ステップＳ１８に進み、制御処理部２１は換気制御時間内であるか否かを判断する。現在の湿度が記憶部２２から読み出した前回湿度未満であるならば（ステップＳ２１／Ｙｅｓ）、ステップＳ５に進み、制御処理部２１は現在の湿度が設定湿度Ｈｃ未満であるか否かを判断する。
【００４５】
なお、本実施の形態においては、換気運転停止してから湿度測定までの時間間隔（第２の期間）は、前回の湿度測定から次の湿度測定までの時間間隔（第３の期間）と同じである必要はない。換言すると、運転開始時よりも運転停止時の方が低湿度であった場合の次回の湿度測定までの時間間隔と、運転開始時よりも運転停止時の方が高湿度であった場合の次回の湿度測定までの時間間隔と、換気運転を行わなかった場合の次回の湿度測定までの時間間隔とは同じである必要はない。図７は、本実施の形態にかかる換気装置の動作の一例を示す図である。運転開始時よりも運転停止時の方が低湿度であった場合の次回の湿度測定までの時間間隔Ｔａ１と、運転開始時よりも運転停止時の方が高湿度であった場合の次回の湿度測定までの時間間隔Ｔａ２と、換気運転を行わなかった場合の次回の湿度測定までの時間間隔Ｔａ３とはそれぞれ別々の時間である。ただし、換気運転を行わなかった場合の次回の湿度測定までの時間間隔は、運転開始時よりも運転停止時の方が低湿度であった場合の次回の湿度測定までの時間間隔、又は運転開始時よりも運転停止時の方が高湿度であった場合の次回の湿度測定までの時間間隔と同じであっても構わない。換言すると、実施の形態１のように第２の期間と第３の期間とが同じであっても良い。
【００４６】
本実施の形態においては、換気運転停止後から運転再開の可否を判断するまでの時間を、運転開始時及び運転停止時の湿度を比較して決定するため、消費電力を抑えつつ効果的・効率的な換気を行える。
【００４７】
この他については実施の形態１と同様であるため、重複する説明は割愛する。
【００４８】
なお、上記の実施の形態においては、床下換気装置を例として説明したが、浴室換気装置や居室換気装置として同様に実施することも可能である。また、換気運転の再開の可否の判断を、湿度の代わりに温度に基づいて行うことも可能である。
【産業上の利用可能性】
【００４９】
以上のように、本発明にかかる換気装置は、床下などの外気と隔離された空間を換気するのに有用である。
【符号の説明】
【００５０】
１  電源
２  制御部
３  湿度測定部
４  換気機構
２１  制御処理部
２２  記憶部
２３  タイマ
【図１】
2011220617.tif 000003
【図２】
2011220617.tif 000004
【図３】
2011220617.tif 000005
【図４】
2011220617.tif 000006
【図５】
2011220617.tif 000007
【図６】
2011220617.tif 000008
【図７】
2011220617.tif 000009